(57)【特許請求の範囲】
【請求項１】
ＣＤ・ＤＶＤその他のディスクを収納するためのディスク収納装置であって、
ケース本体と保持部材と付勢部材と留め具とを有し、
前記ケース本体は前記ディスクの収納室と、前記収納室に連通するディスク挿入口と、前記収納室に収納される前記ディスクの縁を挟んで前記ディスクを前記ディスク挿入口から前記収納室の内部まで案内するガイド溝とを有し、
前記保持部材は前記ディスク挿入口から挿入されたディスクを前記収納室に収納した状態で保持する収納位置と、前記ディスクの一部を前記ディスク挿入口から突出させて前記ディスクを取出し可能に保持する取出位置との間で移動可能に前記収納室に設けられ、
前記付勢部材は前記保持部材を前記収納位置から前記取出位置に付勢するよう前記収納室に設けられ、
前記留め具は前記保持部材を前記収納位置で着脱可能に固定するよう前記収納室に設けられ、
前記ケース本体および前記保持部材の一方は前記保持部材を前記収納位置と前記取出位置との間で案内するスライド溝を有し、他方は前記スライド溝に沿って往復動可能な係合部を有し、前記保持部材は前記収納位置で前記収納室に収納されるディスクと前記ディスク挿入口との間のディスク移動経路を遮り、前記取出位置で前記ディスク移動経路からずれることが可能に前記係合部により前記移動経路に垂直な軸線を中心として回転可能に設けられていることを、
特徴とするディスク収納装置。
【請求項２】
前記ディスクを複数収納可能に各ディスクに対応して前記ディスク挿入口と前記ガイド溝と前記保持部材と前記付勢部材と前記留め具とをそれぞれ複数有することを、特徴とする請求項１記載のディスク収納装置。
【発明の詳細な説明】
【技術分野】
【０００１】
本発明は、ディスク収納装置に関する。
【背景技術】
【０００２】
従来のディスク収納装置として、ＣＤ等のディスクを両面から挟むようにして収納可能に設けられたケース本体と蓋体とを有し、ケース本体がディスクを着脱可能に固定し、矩形状の蓋体が一つの側縁を中心としてケース本体に対して回転して開閉するようになっているものが、一般的に使用されている（例えば、特許文献１参照）。
【０００３】
【特許文献１】特開２００３−５４６７４号公報
【発明の開示】
【発明が解決しようとする課題】
【０００４】
特許文献１に記載のような従来のディスク収納装置では、ディスクを出し入れするとき、一方の手でケース本体を持ち、他方の手で蓋体を開ける必要がある。このため、自動車の運転時など、両手を使用することができない場合には、ディスクの出し入れが困難であるという課題があった。
【０００５】
本発明は、このような課題に着目してなされたもので、片手で容易にディスクを出し入れすることができるディスク収納装置を提供することを目的としている。
【課題を解決するための手段】
【０００６】
上記目的を達成するために、本発明に係るディスク収納装置は、ＣＤ・ＤＶＤその他のディスクを収納するためのディスク収納装置であって、ケース本体と保持部材と付勢部材と留め具とを有し、前記ケース本体は前記ディスクの収納室と、前記収納室に連通するディスク挿入口と、前記収納室に収納される前記ディスクの縁を挟んで前記ディスクを前記ディスク挿入口から前記収納室の内部まで案内するガイド溝とを有し、前記保持部材は前記ディスク挿入口から挿入されたディスクを前記収納室に収納した状態で保持する収納位置と、前記ディスクの一部を前記ディスク挿入口から突出させて前記ディスクを取出し可能に保持する取出位置との間で移動可能に前記収納室に設けられ、前記付勢部材は前記保持部材を前記収納位置から前記取出位置に付勢するよう前記収納室に設けられ、前記留め具は前記保持部材を前記収納位置で着脱可能に固定するよう前記収納室に設けられ、前記ケース本体および前記保持部材の一方は前記保持部材を前記収納位置と前記取出位置との間で案内するスライド溝を有し、他方は前記スライド溝に沿って往復動可能な係合部を有し、前記保持部材は前記収納位置で前記収納室に収納されるディスクと前記ディスク挿入口との間のディスク移動経路を遮り、前記取出位置で前記ディスク移動経路からずれることが可能に前記係合部により前記移動経路に垂直な軸線を中心として回転可能に設けられていることを、特徴とする。
【０００７】
本発明に係るディスク収納装置では、ディスクを収納室に収納するとき、ディスクをディスク挿入口に挿入し、付勢部材の付勢力に抗してディスクを収納室の奥へと押す。保持部材は、収納位置で、挿入されたディスクを収納室に収納した状態で保持する。このとき、留め具が保持部材を固定する。こうして、ディスクをディスク挿入口に片手で挿入するだけで容易に収納することができる。
ディスクを取り出すときには、留め具による保持部材の固定を解除する。このとき、保持部材が付勢部材により取出位置に移動し、ディスクはガイド溝に沿ってディスク挿入口に案内され、ディスクの一部をディスク挿入口から突出させて取り出し可能となる。こうして、ディスクをディスク挿入口から片手で容易に取り出すことができる。このように、片手で容易にディスクを出し入れすることができる。
【０００８】
前記留め具は前記保持部材を前記付勢部材の付勢力に抗して前記収納位置まで移動させたとき前記保持部材を固定し、前記収納位置で固定された前記保持部材を前記付勢部材の付勢力に抗して押したとき前記保持部材を開放する部材から成ることが好ましい。このような留め具には、市販の浮出ラッチを用いることができる。
この場合、ディスクを収納室に収納するとき、ディスク挿入口からディスクを収納室の内部に押して挿入する。このとき、留め具が保持部材を固定し、ディスクを収納室に収納することができる。ディスクを取り出すとき、収納室に収納されたディスクを挿入方向に押す。このとき、保持部材は固定部材から開放されて付勢部材により取出位置に移動し、ディスクはガイド溝に沿ってディスク挿入口に案内され取り出し可能となる。このため、ディスクを片手でさらに容易に取り出すことができる。
【０００９】
本発明に係るディスク収納装置で、保持部材は、係合部がスライド溝に沿って往復動することによりケース本体に対し円滑に移動する。保持部材は、収納位置では収納室に収納されるディスクとディスク挿入口との間のディスク移動経路を遮って、ディスクがディスク挿入口から飛び出るのを防ぐ。取出位置では、ディスク移動経路からずれるよう係合部の軸線を中心として回転してディスクの取出しを可能にする。
また、前記保持部材は、前記収納位置のとき前記ガイド溝との間に前記ディスクを挟むよう、前記ディスクの周縁の挿入方向とは反対側かつ前記ガイド溝とは反対側の一部に接触可能に設けられたストッパ部を有し、前記取出位置のとき前記ストッパ部と前記ガイド溝との間隔が前記ディスクの径以上の長さになるよう、前記ディスクの表面に対して垂直方向の軸線を中心に回転可能であることが好ましい。この場合、収納位置のとき、ストッパ部がディスクの周縁の挿入方向とは反対側かつガイド溝とは反対側の一部に接触して、ガイド溝との間にディスクを挟むため、収納位置で収納室に収納されたディスクが、ディスク挿入口から飛び出すのを防ぐことができる。また、取出位置のとき、ストッパ部とガイド溝との間隔がディスクの径以上の長さになるよう、保持部材をディスクの表面に対して垂直方向の軸線を中心に回転させることにより、ストッパ部で拘束されずに、ディスクを容易に取り出すことができる。なお、ストッパ部は、ディスクの周縁の一部を挿入可能に設けられた保持溝を有していてもよい。
【００１０】
本発明に係るディスク収納装置は、前記ディスクを複数収納可能に各ディスクに対応して前記ディスク挿入口と前記ガイド溝と前記保持部材と前記付勢部材と前記留め具とをそれぞれ複数有していてもよい。この場合、一つのディスク収納装置に複数のディスクを収納することができるので、持ち運びやディスクの整理に便利である。例えば、自動車内に持ち込んで使用するのに適している。
【発明の効果】
【００１１】
本発明によれば、片手で容易にディスクを出し入れすることができるディスク収納装置を提供することができる。
【発明を実施するための最良の形態】
【００１２】
以下、図面に基づき本発明の実施の形態について説明する。
図１乃至図４は、本発明の第１の実施の形態のディスク収納装置を示している。
図１乃至図３に示すように、ディスク収納装置１０は、ＣＤやＤＶＤといった円盤状のディスク１を収納するためのディスク収納装置１０であって、ケース本体１１と保持部材１２と付勢部材１３と留め具１４とを有している。
【００１３】
図１乃至図３に示すように、ケース本体１１は、透明で直方体形状を成し、ディスク１の表面に対して垂直方向の厚みが薄く形成されている。ケース本体１１は、市販のＣＤ等のケースと同じ大きさに形成されており、平面形状が矩形状に形成されている。ケース本体１１は、内部にディスク１を収納する収納室２１を有し、長辺に沿った一方の側面に、収納室２１に連通した細長いディスク挿入口２２を有している。ディスク挿入口２２は、ディスク１の厚みよりやや広い幅を有し、ディスク１の径とほぼ同じ長さを有している。ケース本体１１は、ディスク挿入口２２の一端に連続する収納室２１の内側面に、ディスク１の周縁の一部を挟んでディスク挿入口２２から収納室２１の内部までスライドさせて案内するガイド溝２３を有している。
【００１４】
ケース本体１１は、一方の表面に、ガイド溝２３とは反対側の側面に沿って、収納室２１に貫通する細長いスライド溝２４を有している。また、ケース本体１１は、長辺に沿った一方の側面の、ディスク挿入口２２の長さ方向の中心付近に、円弧状の切欠部２５を有している。
【００１５】
図１乃至図３に示すように、保持部材１２は、薄い板状で、ガイド溝２３とは反対側の内側面に沿って、収納室２１の内部に配置されている。保持部材１２は、収納室２１のガイド溝２３とは反対側の内側面に沿うよう設けられた直線側縁部２６と、ディスク１の径と同じ径を有し直線側縁部２６とは反対側の側縁に設けられた円弧側縁部２７とを有している。円弧側縁部２７は、ディスク１をディスク挿入口２２から挿入したとき、ガイド溝２３とは反対側のディスク１の周縁の、挿入方向に向いた側から挿入方向とは反対側にかけて接するように形成されている。円弧側縁部２７は、そのディスク１の周縁の一部が接するとき、そのディスク１の周縁を挿入可能に設けられた保持溝２８を有している。
【００１６】
保持部材１２は、ディスク挿入口２２とは反対側の収納室２１の奥の内側面に対向する側面に、収納室２１の奥の内側面に向かって突出するよう設けられた突出部２９を有している。突出部２９は、先端に幅が広い係合部２９ａを有している。保持部材１２は、ガイド溝２３との間でディスク１の直径を挟む位置付近に、ケース本体１１のスライド溝２４に係合した係合部３０を有し、スライド溝２４に沿って収納室２１の内部でスライドし往復動可能になっている。また、保持部材１２は、係合部３０を中心軸として収納室２１の内部で回転可能になっている。
【００１７】
これにより、保持部材１２は、ディスク１をディスク挿入口２２から挿入したとき、ディスク１の周縁を保持溝２８で保持する。保持部材１２は、ディスク挿入口２２から挿入されたディスク１を収納室２１に収納した状態で保持する収納位置（図１参照）と、ディスク１の一部をディスク挿入口２２から突出させてディスク１を取出し可能に保持する取出位置（図２参照）との間で、係合部３０をスライド溝２４に沿って移動させて移動可能になっている。また、保持部材１２は、図１に示す収納位置のとき、ガイド溝２３との間にディスク１を挟むよう、ディスク１の周縁の挿入方向とは反対側かつガイド溝２３とは反対側の一部に接触した部分がストッパ部３１を成している。図３に示すように、保持部材１２は、取出位置のとき、ストッパ部３１とガイド溝２３との間隔がディスク１の径以上の長さになるよう、ディスク１の表面に対して垂直方向の係合部３０を中心軸として回転可能になっている。このため、保持部材１２は、収納位置で収納室２１に収納されるディスク１とディスク挿入口２２との間のディスク移動経路を遮り、取出位置でディスク移動経路からずれることが可能に係合部３０により移動経路に垂直な軸線を中心として回転可能である。
【００１８】
図１乃至図３に示すように、付勢部材１３は、コイルバネから成り、収納室２１の内部に設けられている。付勢部材１３は、一端がディスク挿入口２２の他端側に固定され、他端が保持部材１２に固定されている。付勢部材１３は、保持部材１２を収納位置から取出位置に向かって付勢するよう設けられている。
【００１９】
留め具１４は、市販の浮出ラッチ（株式会社ニフコ製など）から成り、収納室２１の内部に、ディスク挿入口２２とは反対側の収納室２１の奥の内側面に接して固定されている。留め具１４は、保持部材１２を付勢部材１３の付勢力に抗して図１に示す収納位置まで移動させたとき、保持部材１２の突出部２９の係合部２９ａに係合して保持部材１２を固定し、収納位置で固定された保持部材１２を付勢部材１３の付勢力に抗して押したとき、係合部２９ａの係合が外れて保持部材１２を開放するよう設けられている。
【００２０】
次に、作用について説明する。
本発明の第１の実施の形態のディスク収納装置１０は、ディスク１を収納室２１に収納するとき、まず、ディスク挿入口２２からディスク１を収納室２１の奥へと内部に押して挿入する。このとき、ディスク１の周縁の一部がガイド溝２３および保持部材１２の保持溝２８で保持される。付勢部材１３の付勢力に抗して、ディスク１を挿入方向に押し、保持部材１２を収納位置まで移動させる。これにより、図１に示すように、留め具１４が保持部材１２を固定するため、ディスク１を収納室２１に収納することができる。このように、ディスク１をディスク挿入口２２に入れて、挿入方向に押すだけで収納可能であり、片手で容易にディスク１を収納することができる。このとき、ストッパ部３１がディスク１の周縁の挿入方向とは反対側かつガイド溝２３とは反対側の一部に接触して、ガイド溝２３との間にディスク１を挟む。保持部材１２は、収納位置では収納室２１に収納されるディスク１とディスク挿入口２２との間のディスク移動経路を遮って、ディスク１がディスク挿入口２２から不意に飛び出るのを防ぐことができる。また、挿入時、ガイド溝２３が、ディスク１の周縁の一部を挟んで、ディスク挿入口２２から収納室２１の内部へディスク１をスライドさせて挿入するのを案内するため、収納しやすい。
【００２１】
ディスク１を取り出すときは、収納位置で収納室２１に収納されたディスク１を、切欠部２５の位置で挿入方向に押す。このとき、収納位置で固定された保持部材１２が付勢部材１３の付勢力に抗して押され、留め具１４が保持部材１２の固定を解除し、留め具１４から保持部材１２を開放することができる。これにより、図２に示すように、開放された保持部材１２が、付勢部材１３の付勢力により取出位置まで移動し、ディスク１の一部がディスク挿入口２２より外部に突出する。保持部材１２は、取出位置では、ディスク移動経路からずれるよう係合部３０の軸線を中心として回転してディスク１の取出しを可能にする。図３に示すように、突出したディスク１の一部をつまんで引き出せば、ストッパ部３１とガイド溝２３との間隔がディスク１の径以上の長さになるよう、保持部材１２が係合部３０を中心軸として回転する。こうして、ストッパ部３１で拘束されずに、ディスク１を容易に取り出すことができる。このように、ディクスを挿入方向に押すだけで取り出し可能であり、片手で容易にディスク１を取り出すことができる。
【００２２】
なお、図４に示すように、ディスク収納装置１０は、ディスク１の表面に対して垂直方向の厚みが厚く形成され、複数のディスク１を収納可能に、各ディスク１に対応してディスク挿入口２２とガイド溝２３と保持部材１２と付勢部材１３と留め具１４とをそれぞれ複数有していてもよい。この場合、一つのディスク収納装置１０に複数のディスク１を収納することができるので、持ち運びやディスクの整理に便利である。ディスク収納装置１０は、片手でディスク１を容易に出し入れすることができるため、自動車の車内に持ち込んで使用するのに適している。
【００２３】
図５および図６は、本発明に関し、第２の実施の形態のディスク収納装置を示している。
図５および図６に示すように、ディスク収納装置５０は、ＣＤやＤＶＤといった円盤状のディスク１を収納するためのディスク収納装置５０であって、ケース本体５１と保持部材５２と付勢部材５３と留め具５４とを有している。
【００２４】
図５および図６に示すように、ケース本体５１は、透明で直方体形状を成し、ディスク１の表面に対して垂直方向の厚みが薄く形成されている。ケース本体５１は、市販のＣＤ等のケースと同じ大きさに形成されており、平面形状が矩形状に形成されている。ケース本体５１は、内部にディスク１を収納する収納室６１を有し、短辺に沿った一方の側面に、収納室６１に連通した細長いディスク挿入口６２を有している。ディスク挿入口６２は、ディスク１の厚みよりやや広い幅を有し、ディスク１の径と同じ長さを有している。収納室６１は、ディスク挿入口６２の両端に連続する内側面に、ディスク１の周縁の一部を挟んでディスク挿入口６２から収納室６１の内部までスライドさせて案内する１対のガイド溝６３を有している。ケース本体５１は、短辺に沿った一方の側面の、ディスク挿入口６２の長さ方向の中心付近に、円弧状の切欠部６４を有している。
【００２５】
図５および図６に示すように、保持部材５２は、細長い棒状で、ディスク挿入口６２とは反対側の収納室６１の奥の内側面に沿って、収納室６１の内部に配置されている。保持部材５２は、一端５２ａが、収納されるディスク１の表面に対して垂直方向となる軸線、すなわち、収納室６１に収納されるディスク１とディスク挿入口６２との間のディスク移動経路に垂直な軸線、を中心として回転可能に設けられている。保持部材５２は、他端５２ｂに、収納室６１の奥の内側面に向かって突出するよう設けられた突出部６５を有している。突出部６５は、先端に幅が広い係合部６５ａを有している。
【００２６】
これにより、保持部材５２は、ディスク１をディスク挿入口６２から挿入したとき、ディスク１が収納室６１に収納された図５に示す収納位置と、ディスク１の一部がディスク挿入口６２より外部に突出した図６に示す取出位置との間で、一端５２ａの軸線を中心として回転して他端５２ｂが移動可能になっている。
【００２７】
図５および図６に示すように、付勢部材５３は、１対のアーム６６ａ，６６ｂを有する板バネから成り、収納室６１の内部に設けられている。付勢部材５３は、一方のアーム６６ａが収納室６１の奥の内側面に沿って固定され、他方のアーム６６ｂが保持部材５２に沿って固定されている。付勢部材５３は、保持部材５２を収納位置から取出位置に向かって付勢するよう設けられている。
【００２８】
留め具５４は、市販の浮出ラッチ（株式会社ニフコ製など）から成り、収納室６１の内部に、ディスク挿入口６２とは反対側の収納室６１の奥の内側面に接して固定されている。留め具５４は、保持部材５２を付勢部材５３の付勢力に抗して図５に示す収納位置まで移動させたとき、保持部材５２の突出部６５の係合部６５ａに係合して保持部材５２を固定し、収納位置で固定された保持部材５２を付勢部材５３の付勢力に抗して押したとき、係合部６５ａの係合が外れて保持部材５２を開放するよう設けられている。
【００２９】
次に、作用について説明する。
本発明に関し、第２の実施の形態のディスク収納装置５０は、ディスク１を収納室６１に収納するとき、まず、ディスク挿入口６２からディスク１を収納室６１の奥へと内部に押して挿入する。このとき、ディスク１の周縁の一部が各ガイド溝６３で保持される。付勢部材５３の付勢力に抗して、ディスク１を挿入方向に押し、保持部材５２を収納位置まで移動させる。これにより図５に示すように、留め具５４が保持部材５２を固定するため、ディスク１を収納室６１に収納することができる。このように、ディスク１をディスク挿入口６２に入れて、挿入方向に押すだけで収納可能であり、片手で容易にディスク１を収納することができる。また、挿入時、各ガイド溝６３が、ディスク１の周縁の一部を挟んで、ディスク挿入口６２から収納室６１の内部へのスライドを案内するため、収納しやすい。
【００３０】
ディスク１を取り出すときは、収納位置で収納室６１に収納されたディスク１を、切欠部６４の位置で挿入方向に押す。このとき、収納位置で固定された保持部材５２が付勢部材５３の付勢力に抗して押され、留め具５４が保持部材１２の固定を解除し、留め具５４から保持部材５２を開放することができる。これにより、図６に示すように、開放された保持部材５２が、付勢部材５３の付勢力により取出位置まで移動し、ディスク１の一部がディスク挿入口６２より外部に突出する。突出したディスク１の一部をつまんで引き出すことにより、ディスク１を容易に取り出すことができる。このように、ディクスを挿入方向に押すだけで取り出し可能であり、片手で容易にディスク１を取り出すことができる。
【００３１】
なお、ディスク収納装置５０は、ディスク１の挿入時または取り出し時にディスク１に接触するよう、ディスク挿入口６２にディスク１の表面を傷つけないフェルトが貼り付けられていてもよい。この場合、フェルトにより、収納位置で収納室６１に収納されたディスク１が、ディスク挿入口６２から不意に飛び出すのを防ぐことができる。
【００３２】
ディスク収納装置５０は、ディスク１の表面に対して垂直方向の厚みが厚く形成され、複数のディスク１を収納可能に、各ディスク１に対応してディスク挿入口６２とガイド溝６３と保持部材５２と付勢部材５３と留め具５４とをそれぞれ複数有していてもよい。この場合、一つのディスク収納装置５０に複数のディスク１を収納することができるので、持ち運びやディスクの整理に便利である。ディスク収納装置５０は、片手でディスク１を容易に出し入れすることができるため、自動車の車内に持ち込んで使用するのに適している。
【図面の簡単な説明】
【００３３】
【図１】本発明の第１の実施の形態のディスク収納装置の収納位置での使用状態を示す正面図である。
【図２】図１に示すディスク収納装置の取出位置での使用状態を示す正面図である。
【図３】図１に示すディスク収納装置のディスクを取り出すときの使用状態を示す正面図である。
【図４】図１に示すディスク収納装置の変形例を示す斜視図である。
【図５】本発明に関し、第２の実施の形態のディスク収納装置の収納位置での使用状態を示す正面図である。
【図６】図５に示すディスク収納装置の取出位置での使用状態を示す正面図である。
【符号の説明】
【００３４】
１０  ディスク収納装置
１１  ケース本体
１２  保持部材
１３  付勢部材
１４  留め具
２１  収納室
２２  ディスク挿入口
２３  ガイド溝
２４  スライド溝
２５  切欠部
２６  直線側縁部
２７  円弧側縁部
２８  保持溝
２９  突出部
２９ａ  係合部
３０  係合部
３１  ストッパ部
【図１】
0004320354.tif 000002
【図２】
0004320354.tif 000003
【図３】
0004320354.tif 000004
【図４】
0004320354.tif 000005
【図５】
0004320354.tif 000006
【図６】
0004320354.tif 000007